(57)【要約】【課題】部品点数を少なくし、組み立て作業に手間がかかることにないラッチ装置を提供する。【解決手段】ケース４に、引手５と一体としたラッチ６がスプリング７を介して組み込まれ、ラッチ６が揺動して、頭部6aをケースから出没自在とし、ケース４は、引手部収納部11を形成し、前面の開口端4aにフランジ12を形成し、一側面の開口端4bの上下部に一対のブラケット13を形成し、ブラケット13は、それぞれ支持孔15を形成しており、それぞれの対向面には側周の一部から支持孔15に向かって上り傾斜とした凹部16が形成され、引手５は、指掛け部17にケース支持部18を介してラッチ６が一体として設けられ、ケース支持部18は、上下部に一対のブラケット19を形成し、ブラケット19は、それぞれケース４のブラケット13の支持孔15に嵌り込む支持突起20が形成され、ブラケット13とブラケット19は、何れか一方または双方が弾性変形するものとしている。【選択図】図３
2019065669.tif 000002
【特許請求の範囲】
【請求項１】
ケース（４）に、引手（５）と一体としたラッチ（６）がスプリング（７）を介して組み込まれており、このラッチ（６）が揺動して、その頭部（６ａ）をケース（４）から出没自在としており、前記ケース（４）は、引手部収納部（１１）を形成しており、前面の開口端（４ａ）にフランジ（１２）を形成し、一側面の開口端（４ｂ）の上下部に一対のブラケット（１３）を形成し、前記ブラケット（１３）は、それぞれ支持孔（１５）を形成しており、それぞれの対向面には側周の一部から支持孔（１５）に向かって上り傾斜とした凹部（１６）が形成されており、前記引手（５）は、指掛け部（１７）にケース支持部（１８）を介して前記ラッチ（６）が一体として設けられており、前記ケース支持部（１８）は、上下部に一対のブラケット（１９）を形成したものとし、前記ブラケット（１９）は、それぞれ前記ケース（４）のブラケット（１３）の支持孔（１５）に嵌り込む支持突起（２０）が形成されており、前記ブラケット（１３）とブラケット（１９）は、何れか一方または双方が弾性変形するものとしていることを特徴とするラッチ装置。
【請求項２】
前記ケース（４）の一側面の開口端（４ｂ）の上部のブラケット（１３）に形成した凹部（１６）は、支持孔（１５）の内周の下位置の一部からブラケット（１３）の側周の上位置の一部に向かって形成されており、前記ケース（４）の一側面の開口端（４ｂ）の下部のブラケット（１３）に形成した凹部（１６）は、支持孔（１５）の内周の上位置の一部からブラケット（１３）の側周の下位置の一部に向かって形成されていることを特徴とする請求項１記載のラッチ装置。
【請求項３】
前記ケース支持部（１８）の上部のブラケット（１９）に形成した支持突起（２０）は、そのブラケット（１９）の上方に向かって形成されており、前記ケース支持部（１８）の下部のブラケット（１９）に形成した支持突起（２０）は、そのブラケット（１９）の下方に向かって形成されていることを特徴とする請求項１記載のラッチ装置。
【請求項４】
前記支持突起（２０）は、大小の突起（２０ａ、２０ｂ）を二段重ねにしたものとしており、前記スプリング（７）の捩り部（７ａ）は、前記大突起（２０ａ）の回りに嵌め込まれ、前記スプリング（７）の一方のアーム（７ｂ）の先端部は、前記ケース支持部（１８）の上部又は下部に形成した係止部（２１）の係止孔（２２）に係止され、前記スプリング（７）の他方のアーム（７ｂ）の先端部は、前記ケース（４）の開口端（４ａ）のフランジ（１２）に係止されるようにしていることを特徴とする請求項１記載のラッチ装置。
【発明の詳細な説明】
【技術分野】
【０００１】
この発明は、小学校や中学校等のシューズ用ロッカーの扉、オフィス等の書類収納ロッカーの扉などに用いられるラッチ装置に関するものである。
【背景技術】
【０００２】
従来、この種のラッチ装置としては、例えば図１４、１５に示したようなものが存在しており、ブラケット３１およびそのブラケット３１にねじ止めされたケース３２を有している。そして、ブラケット３１は、支持板部３３の上下対向辺に一対の折曲げ片３４を設けたコの字状をなしている。
【０００３】
前記ケース３２におけるラッチ組込み用凹部３５の上壁および下壁には上下で対向するようにして一対の長孔３６が設けられており、その長孔３６内に支点軸３７の両端部がスライド自在に挿入されている。
【０００４】
前記支点軸３７にはラッチ３８の一端部が支持され、その支点軸３７を中心にしてラッチ３８が揺動自在とされている。そして、このラッチ３８は、支点軸３７に支持された弾性部材３９によりラッチ受け具（図示せず）と係合する方向に向けて付勢されている（特許文献１）。
【先行技術文献】
【特許文献】
【０００５】
【特許文献１】特開２０１６−１７６２２５号公報
【発明の概要】
【発明が解決しようとする課題】
【０００６】
しかしながら、従来のラッチ装置では、支点軸３７とラッチ３８を別体としており、支点軸３７を中心にしてラッチ３８が揺動自在とされ、また支点軸３７には弾性部材３９が支持されているため、ラッチ３８を支点軸３７に軸支したり、支点軸３７に弾性部材３９を支持した状態での組み立てが面倒であり、組み立て作業に手間がかかるという課題を有していた。
【０００７】
さらに、従来のラッチ装置では、支点軸３７がケース３２の上壁および下壁の長孔３６から脱落しないように止リング（図１５中の符号４０）で、その支点軸３７をケース３２に止めているため、部品点数が多くなってしまい、なおさら組み立て作業に手間がかかるという課題を有していた。
【０００８】
そこで、この発明は、上記従来の課題を解決することを目的としており、ラッチを軸支する支点軸や、この支点軸をケースに止めておくための止リングを無くすことにより、部品点数を少なくし、組み立て作業に手間がかかることのないラッチ装置を提供することを目的としてなされたものである。
【課題を解決するための手段】
【０００９】
そのため、この発明のラッチ装置は、ケース４に、引手５と一体としたラッチ６がスプリング７を介して組み込まれており、このラッチ６が揺動して、その頭部６ａをケース４から出没自在としており、前記ケース４は、引手部収納部１１を形成しており、前面の開口端４ａにフランジ１２を形成し、一側面の開口端４ｂの上下部に一対のブラケット１３を形成し、前記ブラケット１３は、それぞれ支持孔１５を形成しており、それぞれの対向面には側周の一部から支持孔１５に向かって上り傾斜とした凹部１６が形成されており、前記引手５は、指掛け部１７にケース支持部１８を介して前記ラッチ６が一体として設けられており、前記ケース支持部１８は、上下部に一対のブラケット１９を形成したものとし、前記ブラケット１９は、それぞれ前記ケース４のブラケット１３の支持孔１５に嵌り込む支持突起２０が形成されており、前記ブラケット１３とブラケット１９は、何れか一方または双方が弾性変形するものとしている。
【００１０】
そして、この発明のラッチ装置において、前記ケース４の一側面の開口端４ｂの上部のブラケット１３に形成した凹部１６は、支持孔１５の内周の下位置の一部からブラケット１３の側周の上位置の一部に向かって形成されており、前記ケース４の一側面の開口端４ｂの下部のブラケット１３に形成した凹部１６は、支持孔１５の内周の上位置の一部からブラケット１３の側周の下位置の一部に向かって形成されている。
【００１１】
また、この発明のラッチ装置において、前記ケース支持部１８の上部のブラケット１９に形成した支持突起２０は、そのブラケット１９の上方に向かって形成されており、前記ケース支持部１８の下部のブラケット１９に形成した支持突起２０は、そのブラケット１９の下方に向かって形成されている。
【００１２】
さらに、この発明のラッチ装置において、前記支持突起２０は、大小の突起２０ａ、２０ｂを二段重ねにしたものとしており、前記スプリング７の捩り部７ａは、前記大突起２０ａの回りに嵌め込まれ、前記スプリング７の一方のアーム７ｂの先端部は、前記ケース支持部１８の上部又は下部に形成した係止部２１の係止孔２２に係止され、前記スプリング７の他方のアーム７ｂの先端部は、前記ケース４の開口端４ａのフランジ１２に係止されるようにしている。
【発明の効果】
【００１３】
この発明のラッチ装置は、以上に述べたように構成されており、ラッチを軸支する支点軸や、この支点軸をケースに止めておくための止リングを無くしたので、部品点数が少なくなり、組み立て作業に手間がかかることのないものとなった。
【図面の簡単な説明】
【００１４】
【図１】この発明のラッチ装置を備えたシューズ用ロッカーの要部斜視図である。
【図２】この発明のラッチ装置の斜視図である。
【図３】この発明のラッチ装置の分解斜視図である。
【図４】この発明のラッチ装置の正面図である。
【図５】この発明のラッチ装置の側面図である。
【図６】図５中のＡーＡ線断面図である。
【図７】この発明のラッチ装置の背面図である。
【図８】この発明のラッチ装置のケースの正面図である。
【図９】この発明のラッチ装置のケースの側面図である。
【図１０】この発明のラッチ装置のケースの平面図である。
【図１１】この発明のラッチ装置のラッチの正面図である。
【図１２】この発明のラッチ装置のラッチの側面図である。
【図１３】この発明のラッチ装置のラッチの平面図である。
【図１４】従来のラッチ装置の一部切欠き正面図である。
【図１５】図１４中のＸーＸ線断面図である。
【発明を実施するための形態】
【００１５】
以下、この発明のラッチ装置を実施するための形態を、図面に基づいて詳細に説明する。
【００１６】
この発明のラッチ装置は、例えば図１に示したように、シューズ用ロッカーにおいて、多数のシューズ収納部１が縦横に複数個、配置されたシューズボックス２に備え付けられる。
【００１７】
前記シューズ用ロッカーのそれぞれのシューズボックス２は、扉３が設けられており、この扉３にはこの発明のラッチ装置が備えられている。そして、このラッチ装置の引手に指を掛けて、扉３を引くと、ラッチ装置が作動して、閉じた状態の扉３を開くことができ、この開いた扉３を手で押し戻せば、ラッチ装置が作動して、扉３を閉じた状態にしておくことができるようにしている。
【００１８】
前記ラッチ装置は、図２〜７に示したように、シューズボックス２の扉３の開放端内側に突設したケース４に、引手５と一体としたラッチ６がスプリング７を介して組み込まれており、このラッチ６が揺動して、その頭部６ａをケース４から出没自在としている。そして、扉３の開閉操作時に、前記頭部６ａがシューズボックス２の本体枠８に係脱自在となるようにして、前記したように閉じた状態の扉３を開いたり、開いた扉３を閉じた状態にしておくことができるようにしている。
【００１９】
前記ケース４は、図２、３、８〜１０に示したように、前面及び一側面を開口した略四角箱形状の引手部収納部１１を形成しており、前面の開口端４ａに外向きのフランジ１２を形成し、一側面の開口端４ｂの上下部に一対の外向きのブラケット１３を形成し、後面の一側面寄りの後方にはラッチ部収納部１４を形成している。前記ブラケット１３は、それぞれの中心部に支持孔１５を形成しており、それぞれの対向面には側周の一部から支持孔１５に向かって上り傾斜とした凹部１６が形成されている。
【００２０】
すなわち、前記ケース４の一側面の開口端４ｂの上部のブラケット１３に形成した凹部１６は、支持孔１５の内周の下位置の一部からブラケット１３の側周の上位置の一部に向かって形成されており、前記ケース４の一側面の開口端４ｂの下部のブラケット１３に形成した凹部１６は、支持孔１５の内周の上位置の一部からブラケット１３の側周の下位置の一部に向かって形成されている。さらに、前記凹部１６は、平面形状を何れも外方から内方に向かって窄めた中心角が９０度程度の環状扇形状としており、後に述べるケース支持部１８のブラケット１９に形成した支持突起２０を、その凹部面に滑動させて、前記支持孔１５に導くようにしたものとしている。
【００２１】
前記引手５は、図３、１１〜１３に示したように、ケース４の引手部収納部１１の一側面寄りに配置される指掛け部１７に、ケース支持部１８を介して前記ラッチ６が一体として設けられている。
【００２２】
前記指掛け部１７は、水平断面を略く字状とした縦長の折曲げ板体としており、前記ケース支持部１８は、この指掛け部１７に連接する板状体としており、上下部に一対のブラケット１９を外向きに形成したものとし、前記ラッチ６は、ケース支持部１８の外側端に突設され、先端に頭部６ａが形成されている。前記ブラケット１９は、それぞれの中心部に前記ケース４のブラケット１３の支持孔１５に嵌り込む支持突起２０が形成されている。
【００２３】
すなわち、前記ケース支持部１８の上部のブラケット１９に形成した支持突起２０は、そのブラケット１９の上方に向かって形成されており、前記ケース支持部１８の下部のブラケット１９に形成した支持突起２０は、そのブラケット１９の下方に向かって形成されている。
【００２４】
なお、前記ブラケット１３とブラケット１９は、何れか一方、または双方を、弾性変形するものとしている。
【００２５】
前記支持突起２０は、略円柱状とした大小の突起２０ａ、２０ｂを二段重ねにしたものとしており、前記スプリング７をトーションスプリングとした場合には、このスプリング７の捩り部７ａを大突起２０ａの回りに嵌め込んで、スプリング７を保持するようにしており、小突起２０ｂを前記ケース４のブラケット１３の支持孔１５に嵌り込むようにしている。なお、前記スプリング７の一方のアーム７ｂの先端部は、前記ケース支持部１８の上部又は下部に形成した係止部２１の係止孔２２に係止され、前記スプリング７の他方のアーム７ｂの先端部は、前記ケース４の前面の開口端４ａのフランジ１２に係止されるようにしている。
【００２６】
以上のように構成されたこの発明のラッチ装置のケース４に、引手５と一体としたラッチ６をスプリング７を介して組み込むには、以下のようにして行なう。
【００２７】
先ず、前記ケース支持部１８の上部に形成した係止部２１の係止孔２２に、スプリング７の一方のアーム７ｂの先端部を係止させてから、前記ケース支持部１８の上部のブラケット１９に形成した支持突起２０の大突起２０ａの周りに、スプリング７の捩り部７ａを嵌め込む。このようにすると、スプリング７を指で支えなくてもよくなり、組み立ての作業性がよくなる。なお、この場合、図示していないが、前記ケース支持部１８の下部に形成した係止部２１の係止孔２２に、スプリング７の一方のアーム７ｂの先端部を係止させてから、前記ケース支持部１８の下部のブラケット１９に形成した支持突起２０に、スプリング７の捩り部７ａを嵌め込んでもよい。
【００２８】
次に、前記スプリング７の他方のアーム７ｂの先端部を、ケース４の一側面の開口端４ｂのフランジ１２に係止させると共に、前記引手５の指掛け部１７をケース４の引手部収納部１１の一側面寄りに差し込むと同時に、前記ケース４の開口端４ｂの上下部のブラケット１３に形成した凹部１６に、前記ケース支持部１８の上下部のブラケット１９に形成した支持突起２０を位置合わせして、その凹部１６の凹部面に滑動させて、前記支持突起２０を前記ブラケット１３に形成した支持孔１５に導き、この支持孔１５に前記支持突起２０を支持させる。
【００２９】
このようにすれば、前記ケース４の引手部収納部１１の一側面寄りに引手５の指掛け部１７が配置され、前記ケース４のラッチ部収納部１４にラッチ６が収納され、引手５と一体としたラッチ６がスプリング７を介して、前記ケース４に組み込まれることになる。
【００３０】
したがって、この発明のラッチ装置は、ラッチ６を軸支する支点軸や、この支点軸をケース４に止めておくための止リングを無くしたものとしたので、先にも述べたように、部品点数が少なくなり、また前記したようにケース４に引手５と一体としたラッチ６を簡単に組み込むことができるので、組み立て作業に手間がかかることのないものとなった。
【符号の説明】
【００３１】
４  ケース
４ａ  開口端
４ｂ  開口端
５  引手
６  ラッチ
６ａ  頭部
７  スプリング
７ａ  捩り部
７ｂ  アーム
１１  引手収納部
１２  フランジ
１３  ブラケット
１５  支持孔
１６  凹部
１７  指掛け部
１８  ケース支持部
１９  ブラケット
２０  支持突起
２０ａ  大突起
２０ｂ  小突起
２１  係止部
２２  係止孔
【図１】
2019065669.tif 000003
【図２】
2019065669.tif 000004
【図３】
2019065669.tif 000005
【図４】
2019065669.tif 000006
【図５】
2019065669.tif 000007
【図６】
2019065669.tif 000008
【図７】
2019065669.tif 000009
【図８】
2019065669.tif 000010
【図９】
2019065669.tif 000011
【図１０】
2019065669.tif 000012
【図１１】
2019065669.tif 000013
【図１２】
2019065669.tif 000014
【図１３】
2019065669.tif 000015
【図１４】
2019065669.tif 000016
【図１５】
2019065669.tif 000017